(57)【要約】【課題】  外観が悪化すること無く施錠できるショーケースを簡単な構造で提供する。【解決手段】  ショーケース１は、本体３内に構成された陳列室１４の開口一側に回動自在に枢支され、開口を開閉自在に閉塞する扉１２を備える。開口の他側における本体３の扉１２側の面に回動自在に取り付けられた本体側鍵金具３３と、扉１２の非枢支側における本体３側の面に回動自在に取り付けられた扉側鍵金具３４とを備え、各鍵金具３３、３４は、錠前挿通用の透孔をそれぞれ有すると共に、常には本体３と扉１２の間隔内に位置しており、回動された状態で透孔が位置する部分がそれぞれ前記間隔より外方に張り出し、その状態で各透孔は相互に合致する。【選択図】図２
2005152528.tif 000002
【特許請求の範囲】
【請求項１】
本体内に構成された陳列室の開口一側に回動自在に枢支され、前記開口を開閉自在に閉塞する扉を備えたショーケースにおいて、
前記開口の他側における前記本体の前記扉側の面に回動自在に取り付けられた本体側鍵金具と、前記扉の非枢支側における前記本体側の面に回動自在に取り付けられた扉側鍵金具とを備え、
前記各鍵金具は、錠前挿通用の透孔をそれぞれ有すると共に、常には前記本体と前記扉の間隔内に位置しており、回動された状態で前記透孔が位置する部分がそれぞれ前記間隔より外方に張り出し、その状態で前記各透孔は相互に合致することを特徴とするショーケース。
【請求項２】
前記各鍵金具を階段状に屈曲させることにより、前記本体側鍵金具の前記透孔が位置する部分が前記扉側鍵金具の前記透孔が位置する部分の前記扉側に密接した状態で前記各透孔が相互に合致するようにしたことを特徴とする請求項１のショーケース。
【請求項３】
前記各鍵金具は、前記間隔内に位置した状態で相互に重複することの無い位置に取り付けられていることを特徴とする請求項１又は請求項２のショーケース。
【請求項４】
前記各鍵金具は、非磁性体にて構成されていることを特徴とする請求項１、請求項２又は請求項３のショーケース。
【請求項５】
前記本体及び扉には、前記各鍵金具が前記間隔内に位置した状態を保持する保持構造を有することを特徴とする請求項１、請求項２、請求項３又は請求項４のショーケース。
【請求項６】
前記各鍵金具は前記扉の非枢支側の中央付近の前記本体又は扉に取り付けられていることを特徴とする請求項１、請求項２、請求項３、請求項４又は請求項５のショーケース。
【発明の詳細な説明】
【技術分野】
【０００１】
本発明は、陳列室を開閉する扉を施錠可能としたショーケースに関するものである。
【背景技術】
【０００２】
従来より陳列室の周囲が透明壁にて囲繞されたショーケースの扉は施錠できるように構成されている。その場合、一般的には本体側の金具に形成した孔と扉の把手の孔とを合致させ、それに錠前を挿通して施錠するものや（例えば、特許文献１参照）、扉に内蔵したシャフトを下方の機械室に延在させ、この機械室内にて施錠するものなどがあった（例えば、特許文献２参照）。
【特許文献１】特開平９−１７３１８６号公報
【特許文献２】特開平５−１４１１４０号公報
【発明の開示】
【発明が解決しようとする課題】
【０００３】
しかしながら、前者の構造の場合、扉が本体よりも小さくないと実現困難となるばかりでなく、施錠しないときにも金具などが外部から見えてしまうため、著しく外観が損なわれる問題がある。一方、後者の場合には施錠が機械室内にて行われるため、外観悪化の問題は解消されるものの、扉の構造が著しく複雑化し、コストの高騰を引き起こす。また、扉下端で施錠するため、上部において扉の反りを大きくすることができ、上部を本体から離間させて内部商品を取り出せてしまうと云う問題もあった。
【０００４】
本発明は、係る従来の技術的課題を解決するために成されたものであり、外観が悪化すること無く施錠できるショーケースを簡単な構造で提供するものである。
【課題を解決するための手段】
【０００５】
本発明のショーケースは、本体内に構成された陳列室の開口一側に回動自在に枢支され、開口を開閉自在に閉塞する扉を備えたものであって、開口の他側における本体の扉側の面に回動自在に取り付けられた本体側鍵金具と、扉の非枢支側における本体側の面に回動自在に取り付けられた扉側鍵金具とを備え、各鍵金具は、錠前挿通用の透孔をそれぞれ有すると共に、常には本体と扉の間隔内に位置しており、回動された状態で透孔が位置する部分がそれぞれ前記間隔より外方に張り出し、その状態で各透孔は相互に合致することを特徴とする。
【０００６】
請求項２の発明のショーケースは、上記において各鍵金具を階段状に屈曲させることにより、本体側鍵金具の透孔が位置する部分が扉側鍵金具の透孔が位置する部分の扉側に密接した状態で各透孔が相互に合致するようにしたことを特徴とする。
【０００７】
請求項３の発明のショーケースは、上記各発明において各鍵金具は、前記間隔内に位置した状態で相互に重複することの無い位置に取り付けられていることを特徴とする。
【０００８】
請求項４の発明のショーケースは、上記各発明において各鍵金具は、非磁性体にて構成されていることを特徴とする。
【０００９】
請求項５の発明のショーケースは、上記各発明において本体及び扉には、各鍵金具が前記間隔内に位置した状態を保持する保持構造を有することを特徴とする。
【００１０】
請求項６の発明のショーケースは、上記各発明において各鍵金具は扉の非枢支側の中央付近の本体又は扉に取り付けられていることを特徴とする。
【発明の効果】
【００１１】
本発明によれば、本体内に構成された陳列室の開口一側に回動自在に枢支され、開口を開閉自在に閉塞する扉を備えたショーケースにおいて、開口の他側における本体の扉側の面に回動自在に取り付けられた本体側鍵金具と、扉の非枢支側における本体側の面に回動自在に取り付けられた扉側鍵金具とを備え、各鍵金具は、錠前挿通用の透孔をそれぞれ有すると共に、常には本体と扉の間隔内に位置しており、回動された状態で透孔が位置する部分がそれぞれ前記間隔より外方に張り出し、その状態で各透孔は相互に合致するように構成したので、各透孔が合致した状態でそれに錠前を挿入し、施錠することができるようになる。
【００１２】
即ち、各鍵金具は施錠時のみ本体と扉の間隔より外側に張り出し、常には本体と扉の間隔内に格納しておけるので、外観が悪化することも無く、また、通常の扉開閉に際して各鍵金具が邪魔になることもない。特に、各鍵金具を回動自在に本体又は扉に取り付けると云う簡単な構造であるので、コストの高騰も問題とならないものである。
【００１３】
また、請求項２の発明によれば、上記に加えて各鍵金具を階段状に屈曲させることにより、本体側鍵金具の透孔が位置する部分が扉側鍵金具の透孔が位置する部分の扉側に密接した状態で各透孔が相互に合致するようにしたので、施錠した状態における両鍵金具の所謂ガタ付きも発生せず、安全性が向上する。
【００１４】
また、請求項３の発明によれば、上記各発明に加えて各鍵金具は、前記間隔内に位置した状態で相互に重複することの無い位置に取り付けているので、本体と扉の間隔を拡大すること無く各鍵金具を取り付けることができるようになり、スペース効率が向上する。
【００１５】
また、請求項４の発明によれば、上記各発明に加えて各鍵金具は、非磁性体にて構成されているので、扉のシールのために用いられるマグネットガスケット等の磁力の低下も引き起こさないものである。
【００１６】
また、請求項５の発明によれば、上記各発明に加えて本体及び扉には、各鍵金具が前記間隔内に位置した状態を保持する保持構造を有するので、扉開閉時の遠心力や振動等で各鍵金具が不用意に回動してしまう不都合も回避することができるようになる。
【００１７】
また、請求項６の発明によれば、上記各発明に加えて各鍵金具は扉の非枢支側の中央付近の本体又は扉に取り付けられているので、扉端部の反りを最小限に抑えることができるようになり、安全性をより一層向上させることができるようになる。
【発明を実施するための最良の形態】
【００１８】
以下、図面に基づき本発明の一実施形態を詳述する。尚、以下の実施例で説明するショーケース１は例えばスーパーマーケットやコンビニエンスストア等の店舗に設置されてペットボトル入り飲料や缶飲料を冷却（若しくは加温）販売するためのショーケースである。
【実施例１】
【００１９】
図１は本発明を適用した実施例のショーケース１の分解斜視図を示し、図２はショーケース１の天壁１１を外した状態の平面図、図３は天壁１１、網棚２及び底板１３を外した状態の図２に対応する平面図をそれぞれ示している。実施例のショーケース１の本体３は、発泡ポリウレタンなどから成る断熱壁４と、この断熱壁４の上面に取り付けられた硬質合成樹脂製の底枠６と、この底枠６の四隅に立設された前支柱７、７及び後支柱８、８と、これら支柱７、７、８、８に支持された透明ペアガラス製の左右及び後面の縦長の透明壁９、９、９と、天壁１１により構成されている。
【００２０】
そして、向かって右側の前支柱７には周囲のサッシュ１２Ａにこれも透明ペアガラス１２Ｂを填め込んだ透明壁としての縦長の扉１２（前扉）が回動自在に枢支されており、本体３内にこれら透明壁９、９、９、扉１２、天壁１１及び底枠６中央の底板１３により囲繞された陳列室１４が構成されている。そして、扉１２はこの陳列室１４の前面の開口を開閉自在に閉塞する。尚、１５はこの扉１２のサッシュ１２Ａの非枢支側（向かって左側）の上下方向（長手方向）の中央前面に取り付けられた把手であり、１６は陳列室１４の前面開口周囲に位置して本体３に取り付けられたマグネットガスケットであり、扉１２を閉じたときに当該扉１２に密着してシールする。
【００２１】
前記断熱壁４の下方には周囲にパネル１７・・・が取り付けられた機械室１８が構成されており、この機械室１８内には冷却装置の冷媒回路を構成する図示しない圧縮機や凝縮器が設置される。前記断熱壁４内には上面が開口した冷却室１９が構成され（図３）、この冷却室１９内には前記冷媒回路を構成するこれも図示しない冷却器と送風機が設置されている。前記底板１３は底枠６同様の硬質合成樹脂にて成形され、この冷却室１９の上面開口を閉塞するかたちで底枠６に着脱可能に取り付けられてる。尚、この底板１３は組立作業性及びメンテナンス性のために底枠６に対して着脱可能とされているが、設計によっては一体に成形されていてもよい。別体／一体の何れにしても底板１３は底枠６の一部を構成するものである。
【００２２】
この底板１３の向かって右側には手前から奥に渡って冷気吐出口２１が一体成形されており、向かって左側には手前から奥に渡って冷気吸込口２２が一体成形されている。この冷気吸込口２２は冷却室１９内の前記冷却器の冷気吸込側に連通し、冷気吐出口２１は冷気吐出側に連通している。また、底枠６の四隅からはアングル２３が起立しており（図１では前四隅のみ示す）、このアングル２３に前記前支柱７、７及び後支柱８、８が連結されて立設される。
【００２３】
前支柱７、７と後支柱８、８には上下に複数の係合孔が形成された棚支持部２４、２６が一体に形成されており、後支柱８、８の棚支持部２６、２６の係合孔に後左右を挿入係合し、前支柱７、７の棚支持部２４、２４の係合孔に前左右をネジ止めすることで、陳列室１４内には商品陳列用の網棚２が架設される。尚、この網棚２は使用形態に応じて一段若しくは上下に複数段架設されることになる。
【００２４】
網棚２は鋼材から成る線条や硬質合成樹脂などから略矩形状に構成されており、その向かって右側の辺と向かって右側の透明壁９及び向かって左側の辺と向かって左側の透明壁９との間には、前記冷気吐出口２１及び冷気吸込口２２の上方に対応する間隔Ｇ１、Ｇ２がそれぞれ構成されている。この場合、網棚２の左右方向の中心は向かって左側（冷気吸込口２２側）に偏位され、その載置面積が向かって左側（冷気吸込口２２側）に拡張されており、これによって、冷気吸込口２２の上方に対応する間隔Ｇ２は冷気吐出口２１の上方に対応する間隔Ｇ１より狭くなっている。尚、図２の間隔Ｇ１は従来のショーケースにおいて網棚の左右に構成されていた間隔と同様の間隔である。
【００２５】
後支柱８には図４に示すように棚支持部２６の内側（左側の後支柱８では右側、右側の後支柱８では左側）に配線収納部２８が一体に成形されている。この配線収納部２８には扉１２の内面上端部に取り付けられる図示しない蛍光灯（照明）に給電するための配線が収納される。配線収納部２８は前面が上下に渡って開口しており、この開口を狭めるかたちで軟質合成樹脂から成るヒレ片２９が二重押出成形によって後支柱８に一体に成形されている。配線を配線収納部２８に収納する際にはこのヒレ片２９を押し退けて開口より挿入する。挿入した後はヒレ片２９が復帰して開口を狭めるかたちとなるので、配線が開口から出てくることは無くなる。
【００２６】
尚、後支柱８（前支柱７も同様）には透明壁９に密着する軟質のヒレ片３１も一体に成形されており、これによって、透明壁９のシールと保持性能を確保している。また、天壁１１内には図示しない断熱材が取り付けられており、この断熱材には配線引き回し用の溝が形成されている。機械室１８から後支柱８の配線収納部２８内を上昇してきた配線は、この溝内を通って扉１２の蛍光灯に至る。即ち、蛍光灯と配線間にはカプラは設けられない。また、扉１２は枢支する側が左右に反転可能（実施例では向かって右側に枢支されている）とされており、天壁１１の溝は係る扉１２の反転に対応できるように左右対称に形成されている。
【００２７】
一方、ショーケース１には施錠装置３２が設けられている。この施錠装置３２は、本体３を構成する向かって左側の前支柱７の上下方向（長手方向）の中央付近に取り付けられた本体側鍵金具３３と、扉１２のサッシュ１２Ａの非枢支側（閉じた状態の向かって左側）の上下方向（長手方向）の中央付近内面（把手１５の反対側）に取り付けられた扉側鍵金具３４と、錠前３６とから構成される（図２、図５〜図９）。
【００２８】
両鍵金具３３、３４は何れも同一形状を呈したステンレス等の非磁性体の板から成り、上端をビス３７により前支柱７、サッシュ１２Ａにそれぞれ回動自在に取り付けられている。この場合、扉側鍵金具３４は本体側鍵金具３３の上側に位置しており、図５の如く常には（不使用時）それぞれが垂下しており、係る垂下した状態では相互に重複すること無く、本体３と扉１２との間隔内に位置している（図５。尚、この図では扉側鍵金具３４を仮想して記載している。）。このように配置することで、本体３と扉１２との間隔を拡大しなくて済む。
【００２９】
また、図９に示すように本体側鍵金具３３は階段状に前側に屈曲されており、その先端には透孔３３Ａが形成されている。また、扉側鍵金具３４は階段状に後側に屈曲されており（本体側鍵金具３３の反転して使用している）、その先端には同様に透孔３４Ａが形成されている。そして、後述する如く扉１２を施錠する際には、扉１２を閉じた状態で扉側鍵金具３４を向かって左斜め下方に回動させ、本体側鍵金具３３を向かって左斜め上方に回動させると、それらの先端は本体３と扉１２の間隔から外方（向かって左側）に張り出し、透孔３３Ａ、３４Ａは本体３と扉１２の間隔の外方（左側）で相互に合致する（図７、図８）。このとき、本体側鍵金具３３の先端は扉側鍵金具３４の先端の扉１２側（前面側）に密接する構成とされている（図９）。
【００３０】
尚、前支柱７の前面には垂下した状態の本体側鍵金具３３の透孔３３Ａが係脱自在に係合する突起３８が形成されている。また、扉１２のサッシュ１２Ａにも垂下した状態の扉側鍵金具３４の透孔３４Ａに係脱自在に係合する図示しない突起が形成されており、これにより、扉１２回動時の衝撃や遠心力に対して各鍵金具３３、３４は垂下した状態を保持される。
【００３１】
以上の構成で、機械室１８内の前記圧縮機と冷却室１９内の前記送風機が運転されると、冷却器が冷却作用を発揮し、この冷却器と熱交換した冷気は送風機により向かって右側の冷気吐出口２１から上方に向かって吐出される。この冷気吐出口２１から吐出された冷気は網棚２と向かって右側の透明壁９間の間隔Ｇ１を通って上昇し、向かって左側の間隔Ｇ２を通って降下し、冷気吸込口２２から吸い込まれることで陳列室１４内を循環する。これによって、陳列室１４内に架設された網棚２上の商品は所定の温度に冷却される。
【００３２】
このとき、前述の如く網棚２の向かって左側が拡張されている関係上、間隔Ｇ２は間隔Ｇ１より狭くされているが、この間隔Ｇ２は陳列室１８内を冷却した後の冷気が降下する通路であるので、冷気は自重によっても降下し易いため、冷却性能には支障は生じない。
【００３３】
次に、閉店時にショーケース１の扉１２を施錠する際には、前述の如く扉１２を閉じ、扉側鍵金具３４を向かって左斜め下方に回動させると共に、本体側鍵金具３３を向かって左斜め上方に回動させ、前述の如く透孔３３Ａ、３４Ａを相互に合致させる）。その状態で錠前３６のフックを各透孔３３Ａ、３４Ａに挿通して施錠する（図６、図７、図８）。
【００３４】
このとき、前述した如く本体側鍵金具３３の先端は扉側鍵金具３４の先端の扉１２側（前面側）に密接する構成とされているので、施錠した状態における両鍵金具３３、３４の所謂ガタ付き（錠前３６のフック内における移動）も発生しない。
【００３５】
また、施錠装置３２を係る構成としたことで、各鍵金具３３、３４は施錠時のみ本体３と扉１２の間隔より外側に張り出し、常には本体３と扉１２の間隔内に格納しておけるので、外観が悪化することも無く、また、通常の扉開閉に際して各鍵金具３３、３４が邪魔になることもない。特に、各鍵金具３３、３４を回動自在に本体３又は扉１２に取り付けると云う簡単な構造であるので、コストの高騰も問題とならない。
【００３６】
また、各鍵金具３３、３４は、非磁性体にて構成されているので、マグネットガスケット１６の磁力の低下も引き起こさない。特に、施錠装置３２の各鍵金具３３、３４は扉１２の非枢支側の中央付近の本体３又は扉１２に取り付けられているので、施錠状態における扉１２の上下端部の反りを最小限に抑えることができるようになり、安全性をより一層向上させることができる。
【実施例２】
【００３７】
次に、図１０、図１１は本発明のショーケース１の他の実施形態を示している。尚、図１乃至図９と同一符号で示すものは同一とする。この場合の実施例のショーケース１は陳列室１３の前後面が開口し、その前後面の開口にそれぞれ扉を備えている。前記実施例の場合との主な変更点は、底枠と後支柱の形状、並びに、後面の透明壁に代わって扉が取り付けられたことであり、この場合の底枠を６Ａ、後支柱を８Ａ、後面の扉（後扉）を４１でそれぞれ示す。底枠６Ａは前記底枠６と同一の成型金型に中子を挿入することにより、後部四隅にこの場合の後支柱８Ａ、８Ａを立設できる形状に成形される。
【００３８】
また、後支柱８Ａは扉４１を同一寸法内で取り付け、且つ、陳列室１４の後面開口の間口を確保する関係上、前側（扉１２側）に移動して取り付けられ、その形状も前述した後支柱８と異なっている。即ち、この場合の後支柱８Ａは前記前支柱７と略同一の形状を呈しており、同様の棚支持部４２に加えて配線収納部４３、４４が二個所前側にそれぞれ並設されている。そして、各配線収納部４３、４４の開口にも軟質合成樹脂から成るヒレ片４６、４７が同様に二重押出によって一体に成形されている。そして、この場合の配線収納部４３、４３、４４、４４には前述した蛍光灯の配線の他、陳列室１４内を加温使用する場合の電気ヒータへの配線が収納されることになる。
【００３９】
扉４１は前述した前面の扉１２と同一構造のものであるが、後支柱８Ａ、８Ａが前側に移動したことで、把手４８を除くその外面は図１のショーケース１の後面の透明壁９の外面と同一の位置に来る（同一外寸）。これにより、図１の一枚扉の場合と、図１０の前後二枚扉の場合とで、実質同一寸法を実現し、輸送や保管時の取扱性の向上を図っている。尚、この場合の扉４１にも前述した施錠装置３２は設けられるものとする。
【図面の簡単な説明】
【００４０】
【図１】本発明の実施例のショーケースの分解斜視図である。（実施例１）
【図２】図１のショーケースの天壁を除く平面図である。
【図３】図１のショーケースの天壁、網棚、底板を除く平面図である。
【図４】図３の後部の拡大図である。
【図５】図１のショーケースの施錠装置部分の拡大正面図である。
【図６】施錠状態の図１のショーケースの上部斜視図である。
【図７】施錠状態の図１のショーケースの施錠装置部分の拡大正面図である。
【図８】同じく施錠状態の図１のショーケースの施錠装置部分の拡大斜視図である。
【図９】図１のショーケースの施錠装置の各鍵金具の平面図である。
【図１０】本発明の他の実施例のショーケースの天壁、網棚、底板を除く平面図である。
【図１１】図１０の後部の拡大図である。
【符号の説明】
【００４１】
１  ショーケース
２  網棚
３  本体
４  断熱壁
６  底枠
７  前支柱
８、８Ａ  後支柱
９  透明壁
１２、４１  扉
１４  陳列室
２１  冷気吐出口
２２  冷気吸込口
２８、４３、４４  配線収納部
３２  施錠装置
３３  本体側鍵金具
３４  扉側鍵金具
３３Ａ、３４Ａ  透孔
３６  錠前
３８  突起
【図１】
2005152528.tif 000003
【図２】
2005152528.tif 000004
【図３】
2005152528.tif 000005
【図４】
2005152528.tif 000006
【図５】
2005152528.tif 000007
【図６】
2005152528.tif 000008
【図７】
2005152528.tif 000009
【図８】
2005152528.tif 000010
【図９】
2005152528.tif 000011
【図１０】
2005152528.tif 000012
【図１１】
2005152528.tif 000013